(57)【要約】【課題】ミスト噴霧管の設置作業の作業性を向上させることができるミスト噴霧装置、及び、ミスト噴霧管の設置方法を提供する。【解決手段】このミスト噴霧装置１０は、ノズル２２を有する複数のミスト噴霧管２０と、複数のミスト噴霧管２０どうしを連結するホース２５と、ホース２５で連結された複数のミスト噴霧管２０を、一対の支持部材３，４間に張設するためのワイヤ３０と、ミスト噴霧管２０及びホース２５を、ワイヤ３０に結束して、ワイヤ３０と一体化させる結束部材３５と、ワイヤ３０に結束されたミスト噴霧管２０及びホース２５を、ワイヤ３０と一緒に巻き取り可能で且つ繰り出し可能な第１リール５０とを備えている。【選択図】図１
2019196608.tif 000002
【特許請求の範囲】
【請求項１】
一対の支持部材間に張設されて設置されるミスト噴霧装置であって、
内部に水の流路を有し、外周に水をミスト状に噴霧するノズルを有する、複数のミスト噴霧管と、
前記複数のミスト噴霧管どうしを連結するホースと、
前記ホースで連結された複数のミスト噴霧管を、前記一対の支持部材間に張設するためのワイヤと、
前記ミスト噴霧管及び／又は前記ホースを、前記ワイヤに結束して、前記ワイヤと一体化させる結束部材と、
前記ワイヤに結束された前記ミスト噴霧管及び前記ホースを、前記ワイヤと一緒に巻き取り可能で且つ繰り出し可能な第１リールとを備えていることを特徴とするミスト噴霧装置。
【請求項２】
前記第１リールは、前記ミスト噴霧管が巻き付く直線状巻き付け部と、前記ミスト噴霧管どうしを連結するホースが巻き付く湾曲状巻付け部とを有する、請求項１記載のミスト噴霧装置。
【請求項３】
前記ワイヤは、前記ミスト噴霧管及び前記ホースよりも更に長く延出された先端部を有しており、前記第１リールから繰り出された前記ワイヤを巻き取る、第２リールを更に備えている、請求項１記載のミスト噴霧管設置装置。
【請求項４】
前記一対の支持部材の少なくとも一方に取付けられ、前記ワイヤ、前記ミスト噴霧管及び前記ホースの進路を変える進路変更部材を更に備えている、請求項１〜３のいずれか１項に記載のミスト噴霧装置。
【請求項５】
前記進路変更部材は、前記支持部材の上端部から斜めに延出した延出部と、該延出部の基端及び先端に回転可能に支持されたローラとを有している、請求項４記載のミスト噴霧装置。
【請求項６】
内部に水の流路を有し、外周に水をミスト状に噴霧するノズルを有する、複数のミスト噴霧管と、
前記複数のミスト噴霧管どうしを連結するホースと、
前記ホースで連結された複数のミスト噴霧管を、前記一対の支持部材間に張設するためのワイヤと、
前記ミスト噴霧管及び／又は前記ホースを、前記ワイヤに結束して、前記ワイヤと一体化させる結束部材と、
前記ワイヤに結束された前記ミスト噴霧管及び前記ホースを、前記ワイヤと一緒に巻き取り可能で且つ繰り出し可能な第１リールとを備えたミスト噴霧装置を用い、
前記第１リールからワイヤを繰り出して、一対の支持部材間に前記ワイヤを張設することにより、前記ワイヤと一緒に、前記ミスト噴霧管及び前記ホースを、前記一対の支持部材間に張設することを特徴とするミスト噴霧管の設置方法。
【発明の詳細な説明】
【技術分野】
【０００１】
本発明は、一対の支持部材間に張設されて設置されるミスト噴霧装置、及び、ミスト噴霧管の設置方法に関する。
【背景技術】
【０００２】
例えば、建物の解体現場や、建設現場、工場等においては、粉塵が飛散するのを防止するためや、作業者の熱中症予防等のために、水をミスト状にして作業空間に噴霧することが行われている。
【０００３】
下記特許文献１には、複数階からなる建築物の外周に、水を流すための管路を上向きに設置し、その上端に取付けられた噴霧ノズルから、水道水を噴霧するようにした、噴霧冷却システムが記載されている（特許文献１の図３及び図４参照）。
【０００４】
しかし、上記噴霧冷却システムにおいては、一本の管路の上端に、一つの噴霧ノズルが取付けられた構成であるので、噴霧ノズルによる水の噴霧範囲には限界があり、作業現場の隅々にまで水を噴霧することは難しい。
【０００５】
これに対して下記特許文献２には、温室やハウス等の屋根から、ロープ等の吊下げ具を介して、長尺の支持杆を吊下ると共に、この支持杆に、例えば、チェーンをリング状にして構成された支持具を介して、一本の長尺の送給パイプを吊下げた構造とした、散布装置が記載されている。また、送給パイプの軸方向には、複数の散布器（ノズル等）が装着されており、送給パイプに送給ホースから水を供給することで、複数の散布器から、水が広範囲に散布される。なお、長尺の送給パイプは、金属製のパイプ材を、適宜の接続手段で継ぎ足すことで構成されている（特許文献２の段落０００９参照）。
【先行技術文献】
【特許文献】
【０００６】
【特許文献１】特開２００８−１２７８０４号公報
【特許文献２】特許第２７５９７４９号公報
【発明の概要】
【発明が解決しようとする課題】
【０００７】
上記特許文献２の散布装置において、予め、複数のパイプ材を、接続手段を介して連結して、一本の長尺の送給パイプとしておくと、温室やハウス内等の限られたスペース内では、取り扱いが難しい。そのため、設置現場において、複数のパイプ材を順次連結させることとなるが、このような連結作業は煩雑であるため、送給パイプの設置作業性の点で問題がある。
【０００８】
したがって、本発明の目的は、ミスト噴霧管の設置作業の作業性を向上させることができるミスト噴霧装置、及び、ミスト噴霧管の設置方法を提供することにある。
【課題を解決するための手段】
【０００９】
上記目的を達成するため、本発明の一つは、一対の支持部材間に張設されて設置されるミスト噴霧装置であって、内部に水の流路を有し、外周に水をミスト状に噴霧するノズルを有する、複数のミスト噴霧管と、前記複数のミスト噴霧管どうしを連結するホースと、前記ホースで連結された複数のミスト噴霧管を、前記一対の支持部材間に張設するためのワイヤと、前記ミスト噴霧管及び／又は前記ホースを、前記ワイヤに結束して、前記ワイヤと一体化させる結束部材と、前記ワイヤに結束された前記ミスト噴霧管及び前記ホースを、前記ワイヤと一緒に巻き取り可能で且つ繰り出し可能な第１リールとを備えていることを特徴とする。
【００１０】
上記のミスト噴霧装置によれば、第１リールから、ワイヤを繰り出していくと、それに伴って、結束部材を介してワイヤに結束されたミスト噴霧管及びホースも繰り出されていき、ワイヤを一対の支持部材間に張設することで、ワイヤを介して、複数のミスト噴霧管及びホースを所定高さに設置することができる。また、複数のミスト噴霧管はホースに連結され、かつ、ミスト噴霧管及び／又はホースは結束部材でワイヤに結束されて一体化しており、この一体化した状態で第１リールに巻き取り且つ繰り出すことができるので、設置場所において、複数のミスト噴霧管にホースを逐次連結させる必要がなく、ミスト噴霧管の設置作業の作業性を向上させることができる。
【００１１】
本発明のミスト噴霧装置においては、前記第１リールは、前記ミスト噴霧管が巻き付く直線状巻き付け部と、前記ミスト噴霧管どうしを連結するホースが巻き付く湾曲状巻付け部とを有することが好ましい。
【００１２】
この態様によれば、ミスト噴霧管を直線状巻付け部に巻き付け、ミスト噴霧管どうしを連結するホースを湾曲状巻付け部に巻き付けることにより、第１リールに、ワイヤと一体化されたミスト噴霧管及びホースを、コンパクトな形状で巻き付けることが可能となる。
【００１３】
本発明のミスト噴霧装置においては、前記ワイヤは、前記ミスト噴霧管及び前記ホースよりも更に長く延出された先端部を有しており、前記第１リールから繰り出された前記ワイヤを巻き取る、第２リールを更に備えていることが好ましい。
【００１４】
この態様によれば、第１リールから繰り出されたワイヤの先端部を第２リールに連結して、第２リールによってワイヤを巻き取ることにより、一対の支持部材間に配設されたワイヤを張設しやすくすることができる。
【００１５】
本発明のミスト噴霧装置においては、前記一対の支持部材の少なくとも一方に取付けられ、前記ワイヤ、前記ミスト噴霧管及び前記ホースの進路を変える進路変更部材を更に備えていることが好ましい。
【００１６】
この態様によれば、第１リールを、例えば地上に設置して、第１リールから繰り出されたワイヤを、一方の支持部材に取付けられた進路変更部材を介して、他方の支持部材に渡し、ワイヤを引張ることによって、ワイヤを介してミスト噴霧管及びホースを支持部材間に張設することができる。また、第１リールを、例えば地上に設置できるので、重たいものを上方に運ぶ手間や労力を軽減できる。
【００１７】
本発明のミスト噴霧装置においては、前記進路変更部材は、前記支持部材の上端部から斜めに延出した延出部と、該延出部の基端及び先端に回転可能に支持されたローラとを有していることが好ましい。
【００１８】
この態様によれば、支持棒を支持部材に取付け、第１リールから繰り出されたワイヤを延出部の基端及び先端に設けられたローラを介して引っ張り出すことにより、ワイヤの進路を変えて、スムーズに引っ張り出すことができる。
【００１９】
一方、本発明のもう一つであるミスト噴霧管の設置方法は、内部に水の流路を有し、外周に水をミスト状に噴霧するノズルを有する、複数のミスト噴霧管と、前記複数のミスト噴霧管どうしを連結するホースと、前記ホースで連結された複数のミスト噴霧管を、前記一対の支持部材間に張設するためのワイヤと、前記ミスト噴霧管及び／又は前記ホースを、前記ワイヤに結束して、前記ワイヤと一体化させる結束部材と、前記ワイヤに結束された前記ミスト噴霧管及び前記ホースを、前記ワイヤと一緒に巻き取り可能で且つ繰り出し可能な第１リールとを備えたミスト噴霧装置を用い、前記第１リールからワイヤを繰り出して、一対の支持部材間に前記ワイヤを張設することにより、前記ワイヤと一緒に、前記ミスト噴霧管及び前記ホースを、前記一対の支持部材間に張設することを特徴とする。
【００２０】
上記のミスト噴霧管の設置方法によれば、第１リールからワイヤを繰り出すと、ワイヤと一緒にミスト噴霧管及びホースを繰り出すことができるので、ミスト噴霧管及びホースを設置場所で接続する作業を省略することができる。また、一対の支持部材間にワイヤを張設することによって、ワイヤと一緒にミスト噴霧管及びホースを張設できるので、ミスト噴霧管を空中に設置するための装置を簡略化できると共に、設置作業性を向上できる。
【発明の効果】
【００２１】
上記発明によれば、複数のミスト噴霧管はホースに連結され、かつ、ミスト噴霧管及び／又はホースは結束部材でワイヤに結束されて一体化しており、この一体化した状態で第１リールに巻き取り且つ繰り出すことができるので、設置場所において、複数のミスト噴霧管にホースを逐次連結させる必要がなく、ミスト噴霧管の設置作業の作業性を向上させることができる。
【図面の簡単な説明】
【００２２】
【図１】本発明に係るミスト噴霧装置及びミスト噴霧管の設置方法の、一実施形態を示す説明図である。
【図２】同噴霧装置を構成する、複数のミスト噴霧管、ホース、ワイヤを、結束部材で一体化した状態の、斜視図である。
【図３】同噴霧装置を構成する、複数のミスト噴霧管、ホース、ワイヤを、結束部材で一体化した状態の、拡大斜視図である。
【図４】同噴霧装置において、ミスト噴霧管とホースとの連結構造を示す斜視図である。
【図５】同噴霧装置を構成する第１リールの斜視図である。
【図６】同噴霧装置を構成する第１リールを示しており、（ａ）はその正面図、（ｂ）は側面図である。
【図７】同噴霧装置を構成する第１リールに、複数のミスト噴霧管及びホースを巻き付けた状態の斜視図である。
【図８】同噴霧装置を構成する進路変更部材の他形状を示しており、（ａ）は第１他形状を示す説明図、（ｂ）は第２他形状を示す説明図である。
【図９】本発明に係るミスト噴霧管の設置方法の１実施形態による第１作業工程を示す説明図である。
【図１０】同設置方法の第２作業工程を示す説明図である。
【図１１】同設置方法の第３作業工程を示す説明図である。
【発明を実施するための形態】
【００２３】
以下、図面を参照して、本発明に係るミスト噴霧装置、及び、ミスト噴霧管の設置方向の、一実施形態について説明する。
【００２４】
図１に示すように、このミスト噴霧装置１０（以下、単に「噴霧装置１０」ともいう）は、一対の支持部材３，４の間に張設されて設置されるものであって、この実施形態の場合、建物１の解体現場における粉塵飛散防止用及び空間冷却用に用いられる。また、一対の支持部材３，４は、建物１の解体現場の両側に設置される足場２，２の上方に、図示しないワイヤやロープ等で固定される、棒状のものとなっている。
【００２５】
なお、この実施形態における噴霧装置１０は、建物１の解体現場に用いられるが、ミスト噴霧装置としては、これ以外にも、例えば、建物の建築現場や、工場の内部や外部、建物の屋内や屋外、競技場、市場、バザー会場、お祭り会場等の、様々な場所に適用することができ、特に限定はされない。また、前記支持部材としては、例えば、樹木等の自然物や、建物の一部等としてもよく、特に限定はない。
【００２６】
そして、図１や図２に示すように、この実施形態における噴霧装置１０は、複数のミスト噴霧管２０（以下、単に「噴霧管２０」ともいう）と、これらを連結するホース２５と、複数の噴霧管２０を一対の支持部材３，４間に張設するためのワイヤ３０と、噴霧管２０及び／又はホース２５をワイヤ３０に結束して、ワイヤ３０と一体化させる結束部材３５と、ワイヤ３０に結束された噴霧管２０及びホース２５を、ワイヤ３０と一緒に巻き取り可能で且つ繰り出し可能な第１リール５０とを備えている。
【００２７】
図３に示すように、この実施形態における噴霧管２０は、内部に水の流路を有する、直管状をなしたパイプ本体２１と、このパイプ本体２１の両端部及び中央部に、パイプ本体２１の軸方向に対して直交する向きで、パイプ本体２１の外周から突出するように配置され、パイプ外周に向けて水をミスト状に噴霧する、複数のノズル２２（ここでは３個）とを有している。また、図４に示すように、パイプ本体２１の両端部には、ソケット状をなした第１連結部２３が取付けられている。なお、ミスト噴霧管の形状や構造としては、上記態様に限定されず、例えば、ノズルが１個だけの短いパイプ状としたり、ノズルを２個或いは４個以上設けたりしてもよい。また、パイプ本体２１にノズル２２の方向を変えて複数取付けることもできる。
【００２８】
一方、ホース２５は、ゴム等の可撓性材料で形成されたものであって、その両端部には、図４に示すような、プラグ状をなした第２連結部２６が取付けられている。そして、このプラグ状をなした第２連結部２６を、噴霧管２０の、ソケット状をなした第１連結部２３に差し込んだり抜き出したりすることで、第１連結部２３に第２連結部２６を着脱可能に連結することができ、その結果、図２や図３に示すように、ホース２５を介して複数の噴霧管２０，２０どうしが連結されるようになっている。なお、複数の噴霧管２０とホース２５とを連結する連結構造としては、上記kのソケット状やプラグ状をなした連結構造以外にも、周知の構造を採用することができる。
【００２９】
また、ホース２５で連結された複数の噴霧管２０を、一対の支持部材３，４間に張設するためのワイヤ３０は、この実施形態の場合、複数本の鋼線を捩り合わせてなる、いわゆるワイヤロープとなっている。なお、図２に示すように、このワイヤ３０は、噴霧管２０及びホース２５よりも更に長く延出された先端部３１を有しており、噴霧管２０やホース２５に結束部材３５で結束された状態で、ワイヤ３０のみが存在する部分が設けられるようになっている。
【００３０】
更に図３に示すように、この実施形態の結束部材３５は、噴霧管２０を複数のノズル２２，２２の間でワイヤ３０と結束して、噴霧管２０とワイヤ３０とを一体化させると共に、ホース２５とワイヤ３０とを結束して一体化させるものとなっており、噴霧管２０及びホース２５の両方をワイヤ３０に結束させるものなっている。ただし、結束部材３５としては、噴霧管２０とワイヤ３０のみ、又は、ホース２５とワイヤ３０のみを結束してもよい。なお、結束部材としては、周知のハーネスバンドや、粘着テープ、輪ゴム等を用いることができる。
【００３１】
次に、ワイヤ３０に結束された噴霧管２０及びホース２５を、ワイヤ３０と一緒に巻き取り可能で且つ繰り出し可能な第１リール５０について、図５〜７を参照して説明する。
【００３２】
この実施形態の第１リール５０は、所定間隔をあけて平行となるように対向して配置された一対の側板５１，５１と、両側板５１，５１どうしを互いに連結する複数の連結棒５２と、一対の側板５１，５１を、支軸５５ａを介して、回動可能に支持する基台５５とを有している。
【００３３】
側板５１は、長板状をなしており、互いに平行に直線状に延びる直線状側部５１ａ，５１と、円弧状をなすと共に、直線状側部５１ａ，５１ａの端部どうしを連結する、円弧状側部５１ｂ，５１ｂとを有している。
【００３４】
また、連結棒５２は、側板５１の、直線状側部５１ａの周縁に沿って所定間隔をあけて複数配置されて、両側板５１，５１どうしを互いに連結する、直線側連結棒５２ａと、側板５１の円弧状側部５１ｂの内側に配置され、両側板５１，５１どうしを互いに連結する、円弧側連結棒５２ｂとからなる。
【００３５】
そして、図６（ａ）に示すように、一対の側板５１，５１の直線状側部５１ａと、その周縁に複数配置された直線側連結棒５２ａとによって、噴霧管２０が巻き付く直線状巻き付け部５３が構成され、一方、一対の側板５１，５１の円弧状側部５１ｂと、その内側に配置された円弧側連結棒５２とｂによって、噴霧管２０，２０どうしを連結するホース２５が巻き付く、湾曲状巻き付け部５４が構成されるようになっている。この実施形態では、一対の直線状巻き付け部５３，５３と、その両端に配置された一対の湾曲状巻き付け部５４，５４とが設けられている。
【００３６】
その結果、図７に示すように、第１リール５０の、一対の直線状巻き付け部５３，５３に、複数の噴霧管２０が巻き付くと共に、一対の湾曲状巻き付け部５４，５４に、噴霧管２０，２０どうしを連結するホース２５が巻き付くようになっている。
【００３７】
なお、この実施形態における上記第１リール５０は、図１に示すように、一対の支持部材３，４のうち、一方の支持部材３が固定される、足場２の下方に設置されるようになっている。
【００３８】
また、図１に示すように、この実施形態の噴霧装置１０は、更に、第１リール５０から繰り出されたワイヤ３０を巻き取るための、第２リール６０を備えている。この第２リール６０は、上記第１リール５０と同一の構造となっているので、詳細な説明は省略する。なお、この第２リール６０は、一対の支持部材３，４のうち、他方の支持部材４が固定される、足場２の下方に設置されるようになっている。また、第２リール６０は、主としてワイヤ３０の先端部３１を巻き取るために用いられるので、円筒状をなす通常のリールで構成してもよい。
【００３９】
更に、この実施形態の噴霧装置１０は、一対の支持部材３，４の両方に取付けられ、ワイヤ３０、及び、ワイヤ３０に一体化された噴霧管２０及びホース２５の、進路を変える進路変更部材７０を備えている。
【００４０】
図１に示すように、この実施形態における進路変更部材７０は、一対の支持部材３，４の上端部に取付けられて、外方に向けて水平に延びる支持棒７１と、この支持棒７１の所定位置に、ローラ支持部７２を介して回転可能に支持されたローラ７３とからなる。図１に示すように、この進路変更部材７０によって、ワイヤ３０や、噴霧管２０、ホース２５の進行方向を、垂直方向から水平方向に、又は、水平方向から垂直方向に、変更可能となっている。
【００４１】
なお、進路変更部材としては、上記態様に限定されず、図８に記載された態様であってもよい。図８（ａ）に記載の進路変更部材７０Ａは、支持部材３，４に取付けられる支持棒７１と、この支持棒７１の上端部から斜め外方に向けて延出した延出部７４と、この延出部７４の基端及び先端に回転可能に支持された一対のローラ７３，７３とを有している。
【００４２】
また、図８（ｂ）に記載の進路変更部材７０Ｂは、支持部材３，４に取付けられる支持棒７１と、円弧状をなすと共に、前記支持棒７１の上端部から外方に向けて延出した延出部７５とを有している。
【００４３】
次に、上記構造をなした噴霧装置１０を用いた、本発明によるミスト噴霧管の設置方法について説明する。
【００４４】
すなわち、このミスト噴霧管の設置方法は、上記構造をなしたミスト噴霧装置１０を用いて、第１リール５０からワイヤ３０を繰り出して、一対の支持部材３，４間にワイヤ３０を張設することにより、ワイヤ３０と一緒に、ミスト噴霧管２０及びホース２５を、一対の支持部材３，４間に張設するように構成されている。
【００４５】
この設置作業について、より具体的に説明すると、その準備作業として、まず、図４に示すように、ホース２５の第２連結部２６を、噴霧管２０の第１連結部２３に差し込んで、第１連結部２３に第２連結部２６を連結する作業を行って、複数の噴霧管２０をホース２５で連結する。更に、ワイヤ３０の先端部３１を残して、ワイヤ３０を、複数の噴霧管２０及びホース２５に沿わせると共に、ワイヤ３０と噴霧管２０やホース２５とを、所定箇所で結束部材３５によって結束することで、図２や図３に示すように、結束部材３５を介して、ワイヤ３０と、複数の噴霧管２０と、ホース２５とを一体化させる。
【００４６】
その後、ワイヤ３０と一体化された噴霧管２０及びホース２５を、第１リール５０に巻き付けると、図７に示すように、第１リール５０の、一対の直線状巻き付け部５３，５３に、複数の噴霧管２０が整列した状態で巻き付けられると共に、一対の湾曲状巻き付け部５４，５４に、噴霧管２０，２０どうしを連結するホース２５が巻き付けられる。このように、この実施形態においては、複数の噴霧管２０を直線状巻付け部５３に巻き付けることができると共に、噴霧管２０どうしを連結するホース２５を湾曲状巻付け部５４に巻き付けることができるので、第１リール５０に、ワイヤ３０と一体化された噴霧管２０及びホース２５を、コンパクトな形状で巻き付けることができる。
【００４７】
そして、図９に示すように、解体すべき建物１の一側部に設けられた、一方の足場２の下方に、ワイヤ３０と一体化された噴霧管２０及びホース２５を巻き付けた、第１リール５０を設置すると共に、建物１の他側部に設けられた、他方の足場２の下方に、第２リール６０を設置する。
【００４８】
次いで、図９に示すように、第１リール５０からワイヤ３０を繰り出して、その先端部３１を、一方の支持部材３に取付けた進路変更部材７０のローラ７３に引き掛けて、この進路変更部材７０を介して、ワイヤ３０の進行方向を垂直方向上向きから水平方向左向きに変更させると共に、更にワイヤ３０を引っ張っていく。
【００４９】
その後、ワイヤ３０を、建物１の一側部から他側部に向けて架け渡すように引っ張って、図１０に示すように、ワイヤ３０を、他方の支持部材４に取付けた進路変更部材７０のローラ７３に引き掛けて、この進路変更部材７０を介して、その進行方向を水平方向左向きから垂直方向下向きに向けて変更させると共に、更に引っ張っていき、ワイヤ３０の先端部３１を、第２リール６０の図示しない所定の連結棒５２に連結させる。
【００５０】
この状態で、第２リール６０でワイヤ３０の先端部３１を巻き取りつつ、第１リール５０から、ワイヤ３０と一体化された噴霧管２０及びホース２５を繰り出すことで、図１１に示すように、進路変更部材７０を介して、その進路が変更されて、一対の支持部材３，４の間に、複数の噴霧管２０及びホース２５が配置されていく。その後、更に第２リール６０でワイヤ３０を巻き取り、第１リール５０から、ワイヤ３０と一体化された噴霧管２０及びホース２５を繰り出していくと、図１に示すように、一対の支持部材３，４の間に、ワイヤ３０を張設して、同ワイヤ３０を介して、複数の噴霧管２０及びホース２５を、所定高さに設置することができる。
【００５１】
このように、この設置方法及び噴霧装置１０においては、複数の噴霧管２０はホース２５に連結され、かつ、噴霧管２０及び／又はホース２５は結束部材３５でワイヤ３０に結束されて一体化しており、この一体化した状態で第１リール５０に巻き取り且つ繰り出することができるので、設置場所において、複数の噴霧管２０にホース２５を逐次連結させる必要がなく、噴霧管２０及びホース２５を設置場所で接続する作業を省略することができるため、噴霧管２０の設置作業の作業性を向上させることができる。また、一対の支持部材３，４間にワイヤ３０を張設することによって、ワイヤ３０と一緒にミスト噴霧管及びホースを張設できるので、噴霧管２０を空中に設置するための装置を簡略化できると共に、その設置作業性を向上させることができる。
【００５２】
上記のようにして、所定場所に所定高さで、複数の噴霧管２０を設置した後、図１に示すように、ホース２５の最基端部を、給水車６に接続する。その状態で、給水車６を介して水が供給されると、ホース２５を介して、複数の噴霧管２０のノズル２２から、水をミスト状に噴霧されるので、設置場所の空間を冷却することができ、作業者の熱中症等を予防することができる。
【００５３】
また、この実施形態においては、ワイヤ３０は、噴霧管２０及びホース２５よりも更に長く延出された先端部３１を有しており、第１リール５０から繰り出されたワイヤ３０を巻き取る、第２リール６０を更に備えている。これによれば、第１リール５０から繰り出されたワイヤ３０の先端部３１を第２リール６０に連結して、第２リール６０によってワイヤ３０を巻き取ることにより、一対の支持部材３，４間に配設されたワイヤ３０を張設しやすくすることができる。
【００５４】
更に、この実施形態においては、一対の支持部材３，４の少なくとも一方に取付けられ（ここでは両方の支持部材３，４）、ワイヤ３０、ワイヤ３０に一体化された、噴霧管２０及びホース２５の進路を変える進路変更部材７０を更に備えている。これによれば、第１リール５０を、例えば、地上に設置して、第１リール５０から繰り出されたワイヤ３０を、一方の支持部材３に取付けられた進路変更部材７０を介して、他方の支持部材４に渡し、ワイヤ３０を引張ることによって、ワイヤ３０を介して噴霧管２０及びホース２５を支持部材３，４間に張設することができる。また、第１リール５０を、例えば、地上に設置できるので、重たいものを上方に運ぶ手間や労力を軽減できる。
【００５５】
また、進路変更部材として、図８（ａ）に示すような、支持部材３，４に取付けられる支持棒７１と、この支持棒７１の上端部から斜めに延出した延出部７４と、この延出部７４の基端及び先端に回転可能に支持されたローラ７３，７３とを有する、進路変更部材７０Ａを採用した場合には、次のような作用効果を得ることができる。すなわち、支持棒７１を支持部材３，４の一方又は両方に取付け、第１リール５０から繰り出されたワイヤ３０を、延出部７４の基端及び先端に設けられたローラ７３，７３を介して引っ張り出すことにより、ワイヤ３０の進路を変えて、スムーズに引っ張り出すことができる。
【００５６】
また、本発明は、上述した実施形態に限定されるものではなく、本発明の要旨の範囲内で、各種の変形実施形態が可能であり、そのような実施形態も本発明の範囲に含まれる。
【符号の説明】
【００５７】
１  建物
２  足場
３，４  支持部材
６  給水車
１０  ミスト噴霧装置（噴霧装置）
２０  ミスト噴霧管（噴霧管）
２１  パイプ本体
２２  ノズル
２３  第１連結部
２５  ホース
２６  第２連結部
３０  ワイヤ
３１  先端部
３５  結束部材
５０  第１リール
５１  側板
５１ａ  直線状側部
５１ｂ  円弧状側部
５２  連結棒
５２ａ  直線側連結棒
５２ｂ  円弧側連結棒
５３  直線状巻き付け部
５４  湾曲状巻き付け部
５５  基台
５５ａ  支軸
６０  第２リール
７０，７０Ａ，７０Ｂ  進路変更部材
７１  支持棒
７２  ローラ支持部
７３  ローラ
７４，７４  延出部
【図１】
2019196608.tif 000003
【図２】
2019196608.tif 000004
【図３】
2019196608.tif 000005
【図４】
2019196608.tif 000006
【図５】
2019196608.tif 000007
【図６】
2019196608.tif 000008
【図７】
2019196608.tif 000009
【図８】
2019196608.tif 000010
【図９】
2019196608.tif 000011
【図１０】
2019196608.tif 000012
【図１１】
2019196608.tif 000013